(57)【要約】【課題】  真空を利用した簡単な構造のバキュームホース等により、約７ｍ以下の地盤削孔装置及び地盤削孔工法で、水に比較して処理が容易でない泥水を使用しないことにより、既設住宅等の場所打ち杭を造成すると共に、産業廃棄物の処理を容易する等を図る。【解決手段】  バキューム車に接続されているバキューム用ホースと、このバキューム用ホースに取付けられているウオータジェットノズルと、このウオータジェットノズルに接続されている送水機構と、空気供給機構等を有し、水と土の混合体を吸引することにより、泥水を使用しないで孔を掘り、杭を造成することが出来るので、制約条件の多い既設住宅等の場所打ち杭を造成することが出来ると共に、泥水を使用しないことにより産業廃棄物の処理を容易する等を図る。【選択図】図３
2008069623.tif 000002
【特許請求の範囲】
【請求項１】
バキューム車と、該バキューム車に接続されているバキューム用ホースと
、該バキューム用ホースに取付けられているウオータジェットノズルと、
該ウオータジェットノズルに接続されている送水機構とを有していること
を特徴とする地盤削孔装置。
【請求項２】
バキューム車と、該バキューム車に接続されているバキューム用ホースと
、該バキューム用ホースに取付けられているウオータジェットノズルと、
該ウオータジェットノズルに接続されている送水機構とを有する地盤削孔
装置を、場所打ち杭を造成する位置に設置して、該ウオータジェットノズ
ルからの送水で掘削し、水と土の混合体を該バキューム用ホースで吸引す
ることにより、所定の深さに削孔して場所杭を形成すること特徴とする地
盤削孔工法。
【請求項３】
バキューム車と、該バキューム車に接続されているバキューム用ホースと
、該バキューム用ホースに取付けられているウオータジェットノズルと、
該ウオータジェットノズルに接続されている送水機構と、前記バキューム
用ホースに取付けられている空気供給機構とを有していることを特徴とす
る地盤削孔装置。
【請求項４】
バキューム車と、該バキューム車に接続されているバキューム用ホースと
、該バキューム用ホースに取付けられているウオータジェットノズルと、
該ウオータジェットノズルに接続されている送水機構と、前記バキューム
用ホースに取付けられている空気供給機構とを有する地盤削孔装置を、場
所打ち杭を造成する位置に設置して、該ウオータジェットノズルからの送
水で掘削し、水と土の混合体を該バキューム用ホースで吸引することによ
り、所定の深さに削孔して場所杭を形成すること特徴とする地盤削孔工法
。
【請求項５】
バキューム車と、該バキューム車に接続されているバキューム用ホースと
、該バキューム用ホースに取付けられている掘削刃と、該バキューム用ホ
ースの外周面の近傍に設けられている貯水用ピットとを有していることを
特徴とする地盤削孔装置。
【請求項６】
バキューム車と、該バキューム車に接続されているバキューム用ホースと
、該バキューム用ホースに取付けられている掘削刃と、該バキューム用ホ
ースの外周面の近傍に設けられている貯水用ピットとを有する地盤削孔装
置を、場所打ち杭を造成する位置に設置して、該掘削刃で掘削し、水と土
の混合体を該バキューム用ホースで吸引することにより、所定の深さに削
孔して場所杭を形成すること特徴とする地盤削孔工法。
【発明の詳細な説明】
【技術分野】
【０００１】
本発明は、地盤削孔装置及び地盤削孔工法に係り、特に真空を利用した
簡単な構造のバキュームホース等により、約７ｍ以下の地盤削孔装置及び
地盤削孔工法で、水に比較して処理が容易でない泥水を使用しないことに
より、産業廃棄物の処理を容易する等を図ることに関する。
【背景技術】
【０００２】
従来の地盤削孔工法は、リバース工法等が提案されていた。
【０００３】
特許文献１である特願２００５−２４８４３５及び特許文献２であ
る特願２００４−２１１４２１のリバース工法は、泥水（通常は、ベント
ナイト（特殊な粘土鉱物）を、水に溶解したもので、比重を約１．０３〜
１．０８に調整してある）を循環する工法である。上記従来のリバース工
法においては、泥水を、削孔するときに孔壁の保持及び削孔した土を地上
に搬出するために使用している。このような泥水は、水と比較して処理が
困難な産業廃棄物となるので、産業廃棄物の処理費が増加する問題点を有
している。  また、上記従来のリバース工法においては、外径が約６００
ｍｍ〜３,０００ｍｍの場所打ち杭を、大型クレーン車を使用して施工す
る工法である。このためリバース工法等は、密集している住宅地・幅員の
狭い道路に接している住宅等の制約条件の多い既設住宅等の場所打ち杭の
造成に、使用することが出来なかった。
【特許文献１】特願２００５−２４８４３５
【特許文献２】特願２００４−２１１４２１
【発明の開示】
【発明が解決しようとする課題】
【０００４】
本発明は、上記従来工法のリバース工法において使用していた泥水を、
使用しないように改良して、産業廃棄物の処理費の減少を図ることにある
。
また、上記従来のリバース工法においては、外径が約６００ｍｍ〜３,
０００ｍｍの場所打ち杭を、大型クレーン車を使用して施工する工法であ
る。このためリバース工法等は、密集している住宅地・幅員の狭い道路に
接している住宅等の制約条件の多い既設住宅等の場所打ち杭の造成に、使
用することが出来なかった。このような問題点を解決するために、バキュ
ームホース等による簡単な構造により、約７ｍ以下の杭を造成する地盤削
孔装置及び地盤削孔工法により、制約条件の多い既設住宅等の場所打ち杭
を造成することにある。
【課題を解決するための手段】
【０００５】
そして、本発明は上記目的を達成するために、第１の解決手段は、バキ
ューム車と、このバキューム車に接続されているバキューム用ホースと、
このバキューム用ホースの下部に取付けられているウオータジェットノズ
ルと、このウオータジェットノズルに接続されている送水機構とを有し、
制約条件の多い既設住宅等の場所打ち杭を造成する。
。
【０００６】
また、第２の解決手段は、バキューム車と、このバキューム車に接続さ
れているバキューム用ホースと、このバキューム用ホースの下部に取付け
られているウオータジェットノズルに接続されている送水機構とを有する
地盤削孔装置を、場所打ち杭を造成する位置に設置して、送水機構からウ
オータジェットノズルに送水して掘削し、水と土の混合体をバキューム車
の運転によりバキューム用ホースで吸引することにより、深さが約７ｍ以
下を削孔して場所杭を形成する。  このように、従来工法で使用していた
産業廃棄物としての泥水が使用されていない。
【０００７】
また、第３の解決手段は、バキューム車と、このバキューム車に接続さ
れているバキューム用ホースと、このバキューム用ホースの下部に取付け
られているウオータジェットノズルと、このウオータジェットノズルに接
続されている送水機構と、前記バキューム用ホースに取付けられている空
気供給機構とを有し、制約条件の多い既設住宅等の場所打ち杭を造成する
と共に、水と土の混合体の排出効率の向上を図る。
【０００８】
また、第４の解決手段は、バキューム車と、このバキューム車に接続さ
れているバキューム用ホースと、このバキューム用ホースの下部に取付け
られているウオータジェットノズルと、このウオータジェットノズルに接
続されている送水機構と、前記バキューム用ホースに取付けられている空
気供給機構とを有する地盤削孔装置を、場所打ち杭を造成する位置に設置
して、送水機構からウオータジェットノズルに送水して掘削し、水と土の
混合体をバキューム車の運転によりバキューム用ホースで吸引することに
より、深さが約７ｍ以下を削孔して場所杭を効率良く形成する。
このように、従来工法で使用していた産業廃棄物としての泥水が使用さ
れていない。
【０００９】
また、第５の解決手段は、バキューム車と、このバキューム車に接続さ
れているバキューム用ホースと、このバキューム用ホースの下部に取付け
られている掘削刃と、前記バキューム用ホースの外周面の近傍に設けられ
ている貯水用ピットとを有し、制約条件の多い既設住宅等の場所打ち杭を
造成する。
【００１０】
さらにまた、第６の解決手段は、バキューム車と、このバキューム車に
接続されているバキューム用ホースと、このバキューム用ホースの下部に
取付けられている掘削刃と、前記バキューム用ホースの外周面の近傍に設
けられている貯水用ピットとを有する杭の造成装置を、場所打ち杭を造成
する場所に設置して、給水ホースより供給された水と掘削刃で掘られた土
と水の混合体が作られ、この水と土の混合体をバキューム車の運転により
バキューム用ホースで吸引することにより、水と土の混合体をバキューム
車の運転によりバキューム用ホースで吸引することにより、約７ｍ以下の
削孔をして場所杭を形成する。
【発明の効果】
【００１１】
本発明は、ウオータジェットノズルからの水で切削した土と水との
混合体を、バキューム車に接続されているバキューム用ホースで吸引して
、約７ｍ以下の場所打ち杭を造成することが出来る。
このため、密集している住宅地・幅員の狭い道路に接している住宅等の
制約条件の多い既設住宅等の場所打ち杭を、造成することが出来る。
【００１２】
また、本発明は、バキューム用ホースに取付けられているウオータジェ
ットノズル及び送水ホース等を有する地盤削孔装置を、約７ｍ以下の場所
打ち杭を造成する場所に設置する。このような状態において、ウオータジ
ェットノズルからの水で切削した土と水の混合体を作り、この水と土の混
合体をバキューム車の運転によりバキューム用ホースで吸引する。
このようにして、泥水を使用しないで、孔を掘ることが出来る。
したがって、従来のリバース工法で発生した泥水は、本発明の地盤削孔
工法においては発生しない。
このため、本発明の地盤削孔工法においては、産業廃棄物となる泥水の
廃棄処理費用が減少し、従来と比較して経済的効果が顕著である。
【００１３】
また、本発明は、ウオータジェットノズルからの水で切削され土と水の
混合体を、バキューム車に接続されているバキューム用ホースで吸引して
すると共に、空気供給機構からの空気が該切削され土と水の混合体の排
出を促進させるので、約７ｍ以下の場所打ち杭を効率良く造成することが
出来る。
このため、密集している住宅地・幅員の狭い道路に接している住宅等の
制約条件の多い既設住宅等の場所打ち杭を、効率良く造成することが出来
る。
【００１４】
また、本発明は、バキューム用ホースに取付けられているウオータジェ
ットノズル・送水ホース及び空気供給機構等を有する地盤削孔装置を、約
７ｍ以下の場所打ち杭を造成する場所に設置する。
このような状態において、ウオータジェットノズルからので切削された
土と水の混合体を、バキューム車の運転によりバキューム用ホースで吸引す
と共に、空気供給機構からの空気が該切削され土と水の混合体の排出を促
進させるので、約７ｍ以下の場所打ち杭を効率良く造成することが出来る。
このため、密集している住宅地・幅員の狭い道路に接している住宅等の
制約条件の多い既設住宅等の場所打ち杭を、効率良く造成することが出来
る。
したがって、従来のリバース工法で発生した泥水は、本発明の地盤削孔
工法においては発生しない。
このため、本発明の地盤削孔工法においては、産業廃棄物となる泥水の
廃棄処理費用が減少し、従来と比較して経済的効果が顕著である。
【００１５】
また、掘削刃により掘られた場所に送水された水と土との混合体を、バ
キューム車に接続されているバキューム用ホースで吸引して、約７ｍ以下
の場所打ち杭を造成することが出来る。このため、密集している住宅地・
幅員の狭い道路に接している住宅等の制約条件の多い既設住宅等の場所打
ち杭を、造成することが出来る。
【００１６】
上記の地盤削孔装置は、従来のリバース工法等と比較して、構造が簡単
に構成されている。
このため、本発明のバキューム車等を含めた装置全体の価格は、従来と
比較して安価で経済的である。
【００１７】
さらに、本発明は、バキューム用ホースに取付けられている掘削刃と、
前記バキューム用ホースの外周面の近傍に設けられている貯水用ピット等
を有する地盤削孔装置を、約７ｍ以下の場所打ち杭を造成する場所に設置
する。このような状態において、給水ホースより供給された水と掘削刃で
掘られた土との混合体を作り、この水と土の混合体をバキューム車の運転
によりバキューム用ホースで吸引することにより、孔を掘る。このように
して、泥水を使用しないで、孔を掘ることが出来る。
このため、本発明の地盤削孔工法においては、産業廃棄物となる泥水の
廃棄費用が減少し、従来と比較して経済的効果が顕著である。
上記の地盤削孔装置は、従来のリバース工法等と比較して、構造が簡単
に構成されている。
このため、本発明のバキューム車等を含めた装置全体の価格は、従来と
比較して安価で経済的である。
【発明を実施するための最良の形態】
【００１８】
以下、本発明の実施の形態を図１〜図４に基づいて説明する。
【００１９】
図1は、地盤削孔装置の第１実施例を示す概略構成の説明図である。地盤
削孔装置１は、外径が約３００ｍｍで長さが約１０ｍで構成されて合成樹
脂等からなるバキューム用ホース１０を有する。このバキューム用ホース
１０の先端には、先端装置であるウオータジェットノズル１１が取付けら
れている。このウオータジェットノズル１１は、図２に示すように、リン
グ状で構成され、３個が外側の矢印方向に噴射する位置に取付けられ、３
個が内側の矢印方向に噴射する位置に取付けられ、合計６個が等間隔で取
付けられている。前記ウオータジェットノズル１１には、図２に示すよう
にリング状に形成されホース状の送水管１２が、取付けられている。この
送水管１２は、送水ホース１３が接続され、この送水ホース１３はポンプ
（図示省略）に接続されている。前記バキューム用ホース１０の上部の先
端は、バキューム車１４に接続されている。１５は水と土の混合体を示す
。なお、図１においては、ウオータジェットノズル１１が外側に噴射する
矢印だけを表示し、内側に噴射する矢印の表示は省略している。
【００２０】
上記のウオータジェットノズル１１からの水量は、約１０〜２０Mｐaの
高圧噴射を条件に水量を少なくする方法と、約０．５〜１．０Mｐaの低圧
噴射を条件に水量を多くする方法とがあり、地質等を配慮して選択する。
【００２１】
上記構成の第１実施例である地盤削孔装置においては、前記バキューム
用ホース１０を、杭を造成する場所に配置する。
このような状態において、送水ポンプ（図示省略）に接続されている送
水ホース１３により、水量を増加すると先端装置であるウオータジェット
ノズル１１からウオータジェットが噴射する。
このようなウオータジェットノズル１１から噴射されたウオータジェッ
トにより、土が切削される。
このようにして切削された土は、ウオータジェットノズル１１から噴射
された水と混合して、水と土の混合体１５を形成し、この水と土の混合体
１５は、バキューム用ホース１０によりバキューム車１４に吸引される。
【００２２】
図３は、地盤削孔装置の第２実施例を示す概略構成の説明図であり、前
記第１実施例と同一部分は同一符号で示す。図３において、地盤削孔装置
１は、外径が約３００ｍｍで長さが約１０ｍで構成されている合成樹脂等
からなるバキューム用ホース１０を有する。このバキューム用ホース１０
の先端には、先端装置であるウオータジェットノズル１１が取付けられて
いる。このウオータジェットノズル１１は、前記図２に示すように、リン
グ状で構成され、３個が外側の矢印方向に噴射する位置に取付けられ、３
個が内側の矢印方向に噴射する位置に取付けられ、合計６個が等間隔で取
付けられている。前記ウオータジェットノズル１１には、図２に示すよう
にリング状に形成されホース状の送水管１２が、取付けられている。この
送水管１２は、送水ホース１３が接続され、この送水ホース１３はポンプ
（図示省略）に接続されている。前記バキューム用ホース１０には、空気
供給孔１６が取付けられ、この空気供給孔１６には空気ホース１７が接続
され、この空気ホース１７はポンプ（図示省略）に接続されている。この
ように、図３に示す第２実施例においては、前記第１実施例と相違して、
空気供給孔１６及び空気ホース１７等から構成されている空気供給機構が
、形成させている。前記バキューム用ホース１０の上部の先端は、バキュ
ーム車１４に接続されている。１５は水と土の混合体を示す。なお、図３
においては、前記第２実施例と同様に、ウオータジェットノズル１１が外
側に噴射する矢印だけを表示し、内側に噴射する矢印の表示は省略してい
る。    
【００２３】
上記のウオータジェットノズル１１からの水量は、前記第１実施例と同
様に、約１０〜２０Mｐaの高圧噴射を条件に水量を少なくする方法と、約
０．５〜１．０Mｐaの低圧噴射を条件に水量を多くする方法とがあり、地
質等を配慮して選択する。また、上記の空気供給孔１５からは、０．１〜
１．７MPaの空気が供給される。
【００２４】
上記構成の第２実施例である地盤削孔装置においては、前記バキューム
用ホース１０を、杭を造成する場所に配置する。
このような状態において、ポンプ（図示省略）に接続されている送水ホ
ース１３により、水量を増加すると先端装置であるウオータジェットノズ
ル１１からウオータジェットが噴射する。このようなウオータジェットノ
ズル１１から噴射されたウオータジェットにより、土が切削される。また
、空気ホース１７により空気供給孔１６から０．１〜１．７Mｐaの空気が
供給される。
【００２５】
上記のように、第２実施例の地盤削孔装置においては、空気ホース１７
により空気供給孔１６から０．１〜１．７Mｐaの空気が供給されるので、
前記の第１実施例に比較して、水と土の混合体１５の排出の効率が向上す
る。
【００２６】
図４は、地盤削孔装置の第３実施例を示す概略構成の説明図である。地
盤削孔装置１には、外径が約３００ｍｍで長さが約１０ｍで構成されて合
成樹脂等からなるバキューム用ホース２０を有する。このバキューム用ホ
ース２０の下部の先端には、先端装置である鋼製等で構成され外径が約３
５０ｍｍの掘削刃２１が取付けられ、この掘削刃２１の先端が約２０度の
傾斜になっていると共に、送水孔２１Aが形成されている。
前記バキューム用ホース２０を、杭を造成する場所に配置した状態にお
いて、貯水用ピット２２を設け、この貯水用ピット２２には、給水ホース
２３より給水する。前記バキューム用ホース２０の上部の先端は、バキュ
ーム車２４接続され、このバキューム車２４は、一体化されて移動性を有
している。２５は送水路、２６は水と土の混合体を示す。
【００２７】
上記構成の第３実施例である地盤削孔装置１においては、前記バキュー
ム用ホース２０を、杭を造成する場所に配置する。この状態において、前
記バキューム用ホース２０を、人力で上下動を反復することにより、土質
に進入して埋設した状態にする。この場合、掘削刃２１の外径が約３５０
ｍｍであるのに対して、バキューム用ホース２０の外径が約３００ｍｍで
あるので、バキューム用ホース２０の外周面には、送水路２５が形成され
ている。この貯水用ピット２２に、貯水すると、前記バキューム用ホース
２０の外周面に浸水し、送水孔２１Ａを通じて掘削刃２１の内側に供給さ
れ、水と土の混合体２６が形成される。この水と土の混合体２６は、バキ
ューム車２４の運転によりバキューム用ホース２０に吸引されるので、孔
を掘ることが出来る。
【００２８】
上記の本発明に係わる地盤削孔装置及び地盤削孔工法は、上記の実施例
に限定されものではなく、種々の応用例及び変形例があり、たとえば、前  
記バキューム用ホース１０及びバキューム用ホース２０は、地質等によっ
ては外径が約１５０ｍｍ〜４００ｍｍで構成する場合もある。また、前記
掘削刃２１の先端が約１０度〜３０度の傾斜にする場合もある。さらにま
た、前記バキューム用ホース１０及びバキューム用ホース２０は、地質等
によっては鋼製で構成する。
【図面の簡単な説明】
【００２９】
【図１】本発明に係わる地盤削孔装置の第１実施例を示す概略構成説明図である。
【図２】本発明に係わる地盤削孔装置の第１実施例におけるウオータジェットノズルの概略構成説明図である。
【図３】本発明に係わる地盤削孔装置の第２実施例を示す概略構成説明図である。
【図４】本発明に係わる地盤削孔装置の第３実施例を示す概略構成説明図である。
【符号の説明】
【００３０】
１・・・地盤削孔装置
１０・・・バキューム用ホース
１１・・・ウオータジェットノズル
１２・・・送水管
１３・・・送水ホース
１４・・・バキューム車
１５・・・水と土の混合体
１６・・・空気供給孔
１７・・・空気ホース
２０・・・バキューム用ホース
２１・・・掘削刃２１
２１Ａ・・・送水孔
２２・・・貯水ピット
２３・・・給水ホース
２４・・・バキューム車
２５・・・送水路
２６・・・水と土の混合体
【図１】
2008069623.tif 000003
【図２】
2008069623.tif 000004
【図３】
2008069623.tif 000005
【図４】
2008069623.tif 000006